(57)【要約】【課題】効率的に印鑑照合を行うことが可能な印鑑照合装置を提供する。【解決手段】営業店端末１１０は、帳票の帳票イメージを取得するイメージ読取部１１２と、取得された帳票イメージ全体から印影の候補を探索する印影探索部１１８と、探索された印影の候補に対して、印鑑照合のための優先度を設定する設定部としての印影候補位置判断部１２４と、設定された優先度に基づいて、印鑑照合において用いる印影の候補を選択する選択部としての印影候補管理部１２２と、選択された印影の候補を用いて印鑑照合を行う印鑑照合部１２８とを備える。【選択図】図１
2011197787.tif 000002
【特許請求の範囲】
【請求項１】
帳票の帳票イメージを取得する取得部と、
前記取得部が取得した帳票イメージ全体から印影の候補を探索する探索部と、
前記探索部により探索された印影の候補に対して、印鑑照合のための優先度を設定する設定部と、
前記設定部により設定された優先度に基づいて、印鑑照合において用いる印影の候補を選択する選択部と、
前記選択部により選択された印影の候補を用いて印鑑照合を行う照合部と、
を備えることを特徴とする、印鑑照合装置。
【請求項２】
前記設定部は、前記探索部により探索された印影の候補の領域が前記帳票の押印欄の領域内にあるか否かを判別し、当該判別結果に基づいて、前記優先度の設定を行うことを特徴とする、請求項１に記載の印鑑照合装置。
【請求項３】
前記設定部は、前記判別結果に基づいて、前記帳票の押印欄の領域内にない印影の候補に対しては、当該印影の候補の領域と前記帳票の押印欄の領域との距離を算出し、当該算出結果に基づいて、前記優先度の設定を行うことを特徴とする、請求項２に記載の印鑑照合装置。
【請求項４】
前記設定部は、前記算出結果に基づいて、前記算出された距離の値が小さい印影の候補ほど、前記優先度を高く設定することを特徴とする、請求項３に記載の印鑑照合装置。
【請求項５】
前記設定部は、前記探索部により探索された印影の候補の領域と前記帳票の押印欄の領域との距離を算出し、当該算出結果に基づいて、前記優先度の設定を行うことを特徴とする、請求項１に記載の印鑑照合装置。
【請求項６】
前記設定部は、前記算出結果に基づいて、前記算出された距離の値が小さい印影の候補ほど、前記優先度を高く設定することを特徴とする、請求項５に記載の印鑑照合装置。
【請求項７】
前記設定部は、前記探索部により探索された印影の候補の領域が前記帳票の押印欄の領域内にあるか否かを判別し、当該判別結果に基づいて、前記帳票の押印欄の領域内にある印影の候補に対しては、特定の優先度を設定し、
前記選択部は、前記特定の優先度が設定された印影の候補のみ印鑑照合において用いる印影の候補として選択することを特徴とする、請求項１に記載の印鑑照合装置。
【請求項８】
帳票の帳票イメージを取得する取得ステップと、
前記取得ステップで取得した帳票イメージ全体から印影の候補を探索する探索ステップと、
前記探索ステップで探索された印影の候補に対して、印鑑照合のための優先度を設定する設定ステップと、
前記設定ステップで設定された優先度に基づいて、印鑑照合において用いる印影の候補を選択する選択ステップと、
前記選択ステップで選択された印影の候補を用いて印鑑照合を行う照合ステップと、
を有することを特徴とする、印鑑照合方法。
【請求項９】
コンピュータを、
帳票の帳票イメージを取得する取得部と、
前記取得部が取得した帳票イメージ全体から印影の候補を探索する探索部と、
前記探索部により探索された印影の候補に対して、印鑑照合のための優先度を設定する設定部と、
前記設定部により設定された優先度に基づいて、印鑑照合において用いる印影の候補を選択する選択部と、
前記選択部により選択された印影の候補を用いて印鑑照合を行う照合部と、
として機能させるための、プログラム。
【請求項１０】
帳票の帳票イメージを取得する取得部と、
前記取得部が取得した帳票イメージ全体から印影の候補を探索する探索部と、
前記探索部により探索された印影の候補の領域が前記帳票の押印欄の領域内にあるか否かを判別し、
前記押印欄の領域内にあると判別された印影を印鑑照合に用いる印影として選択する選択部と、
前記選択部により選択された印影の候補を用いて印鑑照合を行う照合部と、
を備えることを特徴とする、印鑑照合装置。
【請求項１１】
帳票の帳票イメージを取得する取得ステップと、
前記取得ステップで取得した帳票イメージ全体から印影の候補を探索する探索ステップと、
前記探索ステップで探索された印影の候補の領域が前記帳票の押印欄の領域内にあるか否かを判別する判別ステップと、
前記判別ステップで前記押印欄の領域内にあると判別された印影を印鑑照合に用いる印影として選択する選択ステップと、
前記選択ステップで選択された印影の候補を用いて印鑑照合を行う照合ステップと、
を有することを特徴とする、印鑑照合方法。
【請求項１２】
コンピュータを、
帳票の帳票イメージを取得する取得部と、
前記取得部が取得した帳票イメージ全体から印影の候補を探索する探索部と、
前記探索部により探索された印影の候補の領域が前記帳票の押印欄の領域内にあるか否かを判別し、
前記押印欄の領域内にあると判別された印影を印鑑照合において用いる印影として選択する選択部と、
前記選択部により選択された印影の候補を用いて印鑑照合を行う照合部と、
として機能させるための、プログラム。
【発明の詳細な説明】
【技術分野】
【０００１】
本発明は、印鑑照合装置、印鑑照合方法およびプログラムに関する。
【背景技術】
【０００２】
一般に、金融機関では、取引を行う際に、営業店端末を用いて帳票に押印された印鑑の照合を行うことにより、本人確認を実施している。一般的な印鑑照合の流れは以下の通りである。
【０００３】
まず、第１のステップとして、営業店端末は、営業店端末に接続されたスキャナにより帳票がスキャンされることにより、帳票イメージを取得する。次いで、第２のステップとして、営業店端末は、口座番号／科目をキーとして、顧客の印鑑イメージが保管された印鑑サーバより、該当の印鑑イメージを取得する。次いで、第３のステップとして、営業店端末は、第１のステップで取得した帳票イメージから、押印領域を切り出して印影を取得する。そして、第４のステップとして、営業店端末は、第３のステップで取得した印影と、第２のステップで取得した印鑑イメージとを照合する。
【０００４】
例えば、特許文献１では、上記第３のステップにおいて、帳票の種類ごとに印影を切り出す位置（押印欄または押印領域）が指定されている。また、例えば、特許文献２では、帳票の押印領域以外の領域に印鑑が押印されている場合に、印影を切り出す位置をオペレータが再設定可能である。
【先行技術文献】
【特許文献】
【０００５】
【特許文献１】特許第３４９１６３６号明細書
【特許文献２】特開２０００−１３７８２１号公報
【発明の概要】
【発明が解決しようとする課題】
【０００６】
しかしながら、上述した従来の技術では、帳票の押印領域以外の領域に印鑑が押印されている場合は、オペレータが帳票イメージを目視して押印箇所を確認し、その上で印影を切り出す位置を再設定する必要があるため、オペレータの負荷が重くなり、取引時間が増大するという問題があった。さらに、帳票に複数の印影がある場合には、オペレータが正規の印影である可能性が高い印影を容易に把握することができず、取引時間がさらに増大するという問題があった。
【０００７】
したがって、上述した従来の技術では、帳票の押印領域以外の領域に印鑑が押印されている場合や、帳票に複数の印影がある場合などにおいて、効率的に印鑑照合を行うことができないという問題があった。
【０００８】
そこで、本発明は、上記問題に鑑みてなされたものであり、本発明の目的とするところは、効率的に印鑑照合を行うことが可能な、新規かつ改良された印鑑照合装置、印鑑照合方法およびプログラムを提供することにある。
【課題を解決するための手段】
【０００９】
上記課題を解決するために、本発明のある観点によれば、帳票の帳票イメージを取得する取得部と、前記取得部が取得した帳票イメージ全体から印影の候補を探索する探索部と、前記探索部により探索された印影の候補に対して、印鑑照合のための優先度を設定する設定部と、前記設定部により設定された優先度に基づいて、印鑑照合において用いる印影の候補を選択する選択部と、前記選択部により選択された印影の候補を用いて印鑑照合を行う照合部とを備えることを特徴とする印鑑照合装置が提供される。
【００１０】
前記設定部は、前記探索部により探索された印影の候補の領域が前記帳票の押印欄の領域内にあるか否かを判別し、当該判別結果に基づいて、前記優先度の設定を行ってもよい。
【００１１】
前記設定部は、前記判別結果に基づいて、前記帳票の押印欄の領域内にない印影の候補に対しては、当該印影の候補の領域と前記帳票の押印欄の領域との距離を算出し、当該算出結果に基づいて、前記優先度の設定を行ってもよい。
【００１２】
前記設定部は、前記算出結果に基づいて、前記算出された距離の値が小さい印影の候補ほど、前記優先度を高く設定してもよい。
【００１３】
前記設定部は、前記探索部により探索された印影の候補の領域と前記帳票の押印欄の領域との距離を算出し、当該算出結果に基づいて、前記優先度の設定を行ってもよい。
【００１４】
前記設定部は、前記算出結果に基づいて、前記算出された距離の値が小さい印影の候補ほど、前記優先度を高く設定してもよい。
【００１５】
前記設定部は、前記探索部により探索された印影の候補の領域が前記帳票の押印欄の領域内にあるか否かを判別し、当該判別結果に基づいて、前記帳票の押印欄の領域内にある印影の候補に対しては、特定の優先度を設定し、前記選択部は、前記特定の優先度が設定された印影の候補のみ印鑑照合において用いる印影の候補として選択してもよい。
【００１６】
また、上記課題を解決するために、本発明の別の観点によれば、帳票の帳票イメージを取得する取得ステップと、前記取得ステップで取得した帳票イメージ全体から印影の候補を探索する探索ステップと、前記探索ステップで探索された印影の候補に対して、印鑑照合のための優先度を設定する設定ステップと、前記設定ステップで設定された優先度に基づいて、印鑑照合において用いる印影の候補を選択する選択ステップと、前記選択ステップで選択された印影の候補を用いて印鑑照合を行う照合ステップとを有することを特徴とする印鑑照合方法が提供される。
【００１７】
また、上記課題を解決するために、本発明の別の観点によれば、コンピュータを、帳票の帳票イメージを取得する取得部と、前記取得部が取得した帳票イメージ全体から印影の候補を探索する探索部と、前記探索部により探索された印影の候補に対して、印鑑照合のための優先度を設定する設定部と、前記設定部により設定された優先度に基づいて、印鑑照合において用いる印影の候補を選択する選択部と、前記選択部により選択された印影の候補を用いて印鑑照合を行う照合部ととして機能させるためのプログラムが提供される。
【００１８】
また、上記課題を解決するために、本発明の別の観点によれば、帳票の帳票イメージを取得する取得部と、前記取得部が取得した帳票イメージ全体から印影の候補を探索する探索部と、前記探索部により探索された印影の候補の領域が前記帳票の押印欄の領域内にあるか否かを判別し、前記押印欄の領域内にあると判別された印影を印鑑照合に用いる印影として選択する選択部と、前記選択部により選択された印影の候補を用いて印鑑照合を行う照合部とを備えることを特徴とする印鑑照合装置が提供される。
【００１９】
また、上記課題を解決するために、本発明の別の観点によれば、帳票の帳票イメージを取得する取得ステップと、前記取得ステップで取得した帳票イメージ全体から印影の候補を探索する探索ステップと、前記探索ステップで探索された印影の候補の領域が前記帳票の押印欄の領域内にあるか否かを判別する判別ステップと、前記判別ステップで前記押印欄の領域内にあると判別された印影を印鑑照合に用いる印影として選択する選択ステップと、前記選択ステップで選択された印影の候補を用いて印鑑照合を行う照合ステップとを有することを特徴とする印鑑照合方法が提供される。
【００２０】
また、上記課題を解決するために、本発明の別の観点によれば、コンピュータを、帳票の帳票イメージを取得する取得部と、前記取得部が取得した帳票イメージ全体から印影の候補を探索する探索部と、前記探索部により探索された印影の候補の領域が前記帳票の押印欄の領域内にあるか否かを判別し、前記押印欄の領域内にあると判別された印影を印鑑照合において用いる印影として選択する選択部と、前記選択部により選択された印影の候補を用いて印鑑照合を行う照合部ととして機能させるためのプログラムが提供される。
【発明の効果】
【００２１】
以上説明したように本発明によれば、効率的に印鑑照合を行うことができる。
【図面の簡単な説明】
【００２２】
【図１】本発明の実施の形態に係る印鑑照合システムの構成を概略的に示すブロック図である。
【図２】図１における営業店端末のハードウェア構成を概略的に示すブロック図である。
【図３】図１における印鑑照合システムが実行する第１の印鑑照合処理のフローチャートである。
【図４】図１における印鑑照合システムが実行する第２の印鑑照合処理のフローチャートである。
【図５】押印領域座標を説明するための説明図である。
【図６】印影候補領域座標を説明するための説明図である。
【図７】方式１を満たした場合の帳票イメージにおける押印欄の拡大図である。
【図８】方式２を満たした場合の帳票イメージの拡大図である。
【図９】図３の第１の印鑑照合処理におけるステップＳ１２８の処理まで完了した際の印影候補データの一例を示す説明図である。
【図１０】印影２に対して印鑑照合を実施した後の印影候補データの一例を示す説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
まず、本発明の実施の形態に係る印鑑照合システムについて説明する。図１は、本実施の形態に係る印鑑照合システムの構成を概略的に示すブロック図である。
【００２５】
図１において、印鑑照合システム１０は、営業店１００に設置される営業店端末１１０およびスキャナ１３０と、センタ２００に設置される印鑑サーバ２１０と、通信網３００とを含む。営業店端末１１０は、本発明の印鑑照合装置の一例である。通信網３００は、営業店１００に設置される営業店端末１１０と、センタ２００に設置される印鑑サーバ２１０を接続する専用線である。
【００２６】
営業店１００は、銀行などの金融機関における店舗に該当する。ただし、営業店１００は金融機関における店舗に限られない。営業店１００には、営業店端末１１０およびスキャナ１３０が設置される。
【００２７】
営業店端末１１０は、例えば金融機関の行員が顧客対応や入出金処理等の業務を行う際に使用する端末である。スキャナ１３０は、営業店端末１１０に接続され、取引に用いる帳票等の読み取りを行う。
【００２８】
センタ２００には、印鑑サーバ２１０が設置される。印鑑サーバ２００は、顧客の登録印、すなわち印鑑イメージを保持する。
【００２９】
営業店端末１１０は、イメージ読取部１１２、帳票識別部１１４、帳票情報データベース（ＤＢ）１１６、印影探索部１１８、印影切出部１２０、印影候補管理部１２２、印影候補位置判断部１２４、印鑑データ取得部１２６および印鑑照合部１２８を備える。
【００３０】
イメージ読取部１１２は、本発明の取得部の一例であり、スキャナ１３０により読み取られた帳票イメージを取得する。帳票識別部１１４は、イメージ読取部１１２が取得した帳票イメージから「店番」等の光学文字認識（ＯＣＲ：Ｏｐｔｉｃａｌ  Ｃｈａｒａｃｔｅｒ  Ｒｅｃｏｇｎｉｔｉｏｎ）を行うとともに、帳票の種類を特定する。帳票情報ＤＢ１１６は、帳票の種類ごとに設定された押印領域の情報を管理する。
【００３１】
印影探索部１１８は、本発明の探索部の一例であり、イメージ読取部１１２が取得した帳票イメージから印影を探索する。印影切出部１２０は、印影探索部１１８により探索された印影をイメージとして切り出す。印影候補管理部１２２は、本発明の選択部の一例であり、印影切出部１２０により切り出された印影のイメージを管理する。
【００３２】
印影候補位置判断部１２４は、本発明の設定部の一例であり、帳票において印影と押印領域の距離を測定する。印鑑データ取得部１２６は、印鑑サーバ２１０から印鑑イメージを取得する。印鑑照合部１２８は、本発明の照合部の一例であり、印影切出部１２０により切り出された印影のイメージと、印鑑データ取得部１２６が取得した印鑑イメージとを照合する。印鑑照合処理は、自動で行うようにしても良いし、両方のイメージを表示してオペレータに確認させて確認結果の入力を受けるようにしても良い。また、オペレータに確認させる際に自動照合の結果を表示するようにしても良い。
【００３３】
次に、図１における営業店端末１１０のハードウェア構成について説明する。図２は、図１における営業店端末１１０のハードウェア構成を概略的に示すブロック図である。
【００３４】
営業店端末１１０は、ＣＰＵ（Ｃｅｎｔｒａｌ  Ｐｒｏｃｅｓｓｉｎｇ  Ｕｎｉｔ）１２と、ＲＯＭ（Ｒｅａｄ  Ｏｎｌｙ  Ｍｅｍｏｒｙ）１４と、ＲＡＭ（Ｒａｎｄｏｍ  Ａｃｃｅｓｓ  Ｍｅｍｏｒｙ）１６と、内部バス１８とを備える。また、営業店端末１１０は、ブリッジ２０と、外部バス２２と、インタフェース２４と、入力装置２６と、出力装置２８と、ストレージ装置（ＨＤＤ）３０と、ドライブ３２と、通信装置３４とを備える。
【００３５】
ＣＰＵ１２は、演算処理装置および制御装置として機能し、各種プログラムに従って営業店端末１１０内の動作全般を制御する。また、ＣＰＵ１２は、マイクロプロセッサであってもよい。ＲＯＭ１４は、ＣＰＵ１２が使用するプログラムや演算パラメータ等を記憶する。ＲＡＭ１６は、ＣＰＵ１２の実行において使用するプログラムや、その実行において適宜変化するパラメータ等を一時記憶する。これらはＣＰＵバスなどから構成される内部バス１８により相互に接続されている。
【００３６】
内部バス１８は、ブリッジ２０を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２２に接続されている。なお、必ずしも内部バス１８、ブリッジ２０および外部バス２２を分離構成する必要はなく、一のバスにこれらの機能を実装してもよい。
【００３７】
入力装置２６は、マウス、キーボード、タッチパネル、ボタン、マイク、スイッチおよびレバーなどユーザが情報を入力するための入力手段と、ユーザによる入力に基づいて入力信号を生成し、ＣＰＵ１２に出力する入力制御回路などから構成されている。営業店端末１１０のユーザは、該入力装置２６を操作することにより、営業店端末１１０に対して各種のデータを入力したり処理動作を指示したりすることができる。
【００３８】
出力装置２８は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２８は、スピーカおよびヘッドホンなどの音声出力装置を含む。出力装置２８は、例えば、再生されたコンテンツを出力する。具体的には、表示装置は再生された映像データ等の各種情報をテキストまたはイメージで表示する。一方、音声出力装置は、再生された音声データ等を音声に変換して出力する。また、出力装置２８は、印刷データを紙などの印刷媒体に印刷して帳票を発行することも可能である。
【００３９】
ストレージ装置３０は、データ格納用の装置である。ストレージ装置３０は、記憶媒体、記憶媒体にデータを記録する記録装置、記憶媒体からデータを読み出す読み出し装置および記憶媒体に記録されたデータを削除する削除装置などを含んでもよい。ストレージ装置３０は、例えば、ＨＤＤ（Ｈａｒｄ  Ｄｉｓｋ  Ｄｒｉｖｅ）で構成される。このストレージ装置３０は、ハードディスクを駆動し、ＣＰＵ１２が実行するプログラムや各種データを格納する。
【００４０】
ドライブ３２は、記憶媒体用リーダライタであり、営業店端末１１０に内蔵、あるいは外付けされる。ドライブ３２は、装着されている磁気ディスク、光ディスク、光磁気ディスク、または半導体メモリ等のリムーバブル記録媒体３６に記録されている情報を読み出して、ＲＡＭ１６に出力する。
【００４１】
通信装置３４は、例えば、通信網３００やスキャナ１３０に接続するための通信デバイス等で構成された通信インタフェースである。また、通信装置３４は、無線ＬＡＮ（Ｌｏｃａｌ  Ａｒｅａ  Ｎｅｔｗｏｒｋ）対応通信装置であっても、有線による通信を行うワイヤー通信装置であってもよい。
【００４２】
なお、図１に示したイメージ読取部１１２および印鑑データ取得部１２６は、例えばＣＰＵ１２および通信装置３４に対応する。帳票識別部１１４、印影探索部１１８、印影切出部１２０、印影候補位置判断部１２４および印鑑照合部１２８は、例えばＣＰＵ１２に対応する。帳票情報ＤＢ１１６は、例えばＣＰＵ１２およびストレージ装置３０に対応する。印影候補管理部１２２は、例えばＣＰＵ１２およびＲＡＭ１６に対応する。
【００４３】
次に、図１における印鑑照合システム１０が実行する第１の印鑑照合処理について説明する。図３は、図１における印鑑照合システム１０が実行する第１の印鑑照合処理のフローチャートである。なお、営業店端末１１０が実行する印鑑照合に関連しない処理、例えば入出金処理については、本発明とは関係がないため説明を省略する。
【００４４】
図３において、まず、営業店端末１１０において、例えば「イメージスキャン」キー（図示しない）が押下されると、スキャナ１３０は、スキャナ１３０上の所定の位置に載置された帳票から帳票イメージを取得する。そして、営業店端末１１０のイメージ読取部１１２は、スキャン１３０が取得した帳票イメージを取得する（ステップＳ１０２）。
【００４５】
なおこのとき、帳票イメージは、帳票の辺を基準に帳票部分が切り出された状態であるものとする。これは、スキャナイメージの背景輝度と帳票部分の輝度との差によってイメージ中の帳票辺を検出することにより可能である。このとき、帳票辺の傾きを画像回転により補正すると正立した帳票イメージを得ることができる。あるいは、取得したスキャナイメージの中で、帳票辺の座標を特定し、いずれかの頂点を基準点とすることにより、帳票部分を切り出さなくとも同等の処理を行うこともできる。
【００４６】
次いで、営業店端末１１０の帳票識別部１１４は、イメージ読取部１１２が取得した帳票イメージから帳票の種類を特定するとともに、帳票に記載された「店番」、「科目」および「口座番号」などの光学文字認識（ＯＣＲ）を行う（ステップＳ１０４）。
【００４７】
次いで、営業店端末１１０の印鑑データ取得部１２６は、ステップＳ１０４において帳票識別部１１４により文字認識された「店番」、「科目」および「口座番号」などをキーとして、印鑑サーバ２１０から該当する印鑑イメージを検索する（ステップＳ１０６）。
【００４８】
次いで、印鑑サーバ２１０は、ステップＳ１０６において印鑑データ取得部１２６により検索された印鑑イメージを営業店端末１１０に送信する（ステップＳ１０８）。
【００４９】
次いで、営業店端末１１０の印鑑データ取得部１２６は、ステップＳ１０８において印鑑サーバ２１０から送信された印鑑イメージを取得する（ステップＳ１１０）。
【００５０】
次いで、営業店端末１１０の帳票識別部１１４は、ステップＳ１０４において特定した帳票の種類、および文字認識した「科目」などをキーとして、帳票情報ＤＢ１１６から帳票の押印領域の情報、例えば押印領域座標（Ｘａ，Ｙａ）、（Ｘｂ，Ｙｂ）を取得する（ステップＳ１１２）。ここで、押印領域とは、帳票において印鑑が押印されているはずの場所、すなわち押印欄のことである。また、押印領域座標とは、図５に示すように、帳票イメージにおける１点、例えば左上隅を基点とした、押印領域の左上隅の座標（Ｘａ，Ｙａ）と右下隅の座標（Ｘｂ，Ｘｂ）のことである。
【００５１】
次いで、営業店端末１１０の印影探索部１１８は、印鑑照合部１２８による印鑑照合に用いる印影の候補（以下、「印影候補」という。）をイメージ読取部１１２が取得した帳票イメージ全体から探索するとともに、探索された印影候補領域の座標（Ｘｌｍ，Ｙｌｍ）、（Ｘｍｎ，Ｙｍｎ）を取得する（ステップＳ１１４）。ここで、印影候補領域とは、円形の印影候補を矩形で囲んだ領域のことである。また、印影候補領域座標とは、図６に示すように、帳票イメージにおける１点、例えば左上隅を基点とした、印影候補領域の左上隅の座標（Ｘｌｎ，Ｙｌｎ）と右下隅の座標（Ｘｍｎ，Ｙｍｎ）のことである。なお、ステップＳ１１４では、印影候補領域座標は、全ての印影候補に対して取得する。印影候補領域の座標内におけるｎは探索された印影候補を特定するための標記とする。例えば、最初に探索された印影候補の座標は、（Ｘｌ１，Ｙｌ１）、（Ｘｍ１，Ｙｍ１）とし、次に探索された印影候補の座標は、（Ｘｌ２，Ｙｌ２）、（Ｘｍ２，Ｙｍ２）とする。ここで、印影を囲む矩形は印影に外接するようにして座標を決定してもよいし、欠け等を考慮して印影から所定量外側を囲むようにしてもよい。
【００５２】
次いで、営業店端末１１０の印影切出部１２０は、印影探索部１１８により取得された印影候補領域座標を元に帳票イメージから全ての印影候補のイメージを切り出して、印影候補管理部１２２は、印影切出部１２０により切り出された全ての印影候補のイメージを保管する（ステップＳ１１６）。
【００５３】
次いで、営業店端末１１０の印影候補管理部１２２は、未処理の印影候補の有無を判別する（ステップＳ１１８）。
【００５４】
ステップＳ１１８の判別の結果、未処理の印影候補が有るときは（ステップＳ１１８で有り）、営業店端末１１０の印影候補位置判断部１２４は、印影候補領域が押印領域内にあるか否かを、印影候補領域座標および押印領域座標を利用して、以下の方式１にて判別する（ステップＳ１２０）。
［方式１］
2011197787.tif 000003
2011197787.tif 000004
図７は、上記方式１を満たした場合の帳票イメージにおける押印欄の拡大図である。
【００５５】
ステップＳ１２０の判別の結果、印影候補領域が押印領域内にあるときは（ステップＳ１２０で押印領域内）、営業店端末１１０の印影候補位置判断部１２４は、当該印影候補に優先度「１」を設定する（ステップＳ１２２）。そして、次の印影候補に処理を移すために、ステップＳ１１８の処理に戻る。
【００５６】
ステップＳ１２０の判別の結果、印影候補領域が押印領域内にないときは（ステップＳ１２０で押印領域外）、営業店端末１１０の印影候補位置判断部１２４は、当該印影候補の印影候補領域と押印領域の距離を、以下の方式２にて算出する（ステップＳ１２４）。そして、次の印影候補に処理を移すために、ステップＳ１１８の処理に戻る。
［方式２］
押印領域の中心座標  
2011197787.tif 000005
印影候補領域の中心座標  
2011197787.tif 000006
印影候補領域と押印領域の距離  
2011197787.tif 000007
図８は、上記方式２を満たした場合の帳票イメージの拡大図である。
【００５７】
ステップＳ１１８の判別の結果、未処理の印影候補が無いとき、すなわち全ての印影候補に対して上記方式１または上記方式２が適用されたときは（ステップＳ１１８で無し）、営業店端末１１０の印影候補位置判断部１２４は、上記方式２が適用された印影候補に対して、ステップＳ１２４で算出された距離Ｌｎの値が小さい順、すなわち昇順になるように、印影候補をソートする（ステップＳ１２６）。
【００５８】
次いで、営業店端末１１０の印影候補位置判断部１２４は、ソートした印影候補群に対して、順番に優先度を「２」、「３」、「４」…と設定する（ステップＳ１２８）。図９は、図３の第１の印鑑照合処理におけるステップＳ１２８の処理まで完了した際の印影候補データの一例を示す説明図である。なお、本実施の形態では、優先度の数値が小さい印影候補ほど、印鑑照合における印影候補の選択において優先度の高い印影候補であるものとする。これにより、押印領域外と判断された印影については、優先度を「２」から開始される。
【００５９】
次いで、営業店端末１１０の印影候補管理部１２２は、印鑑照合未済の印影候補があるか否かを、印影候補データ内を確認して判別する（ステップＳ１３０）。印影候補データにおいて、印鑑照合が済んでいない（印鑑照合未済）印影候補には照合済に「０」が設定されている。また、押印領域内と判断された印影候補については、距離に「−」が設定されている。
【００６０】
ステップＳ１３０の判別の結果、印鑑照合未済の印影候補があるときは（ステップＳ１３０で有り）、営業店端末１１０の印影候補管理部１２２は、優先度の最も高い印影候補を選択する（ステップＳ１３２）。図９の印影候補データ内では、印影２の優先度が最も高く設定されている。
【００６１】
次いで、営業店端末１１０の印鑑照合部１２８は、ステップＳ１１０にて取得された印鑑イメージと、ステップＳ１３２にて選択された印影候補のイメージとを用いて、印鑑照合を実施する（ステップＳ１３４）。そして、印鑑照合部１２８は、印鑑照合に使用した印影候補の照合済フラグを「１」に設定する。図１０は、印影２に対して印鑑照合を実施した後の印影候補データの一例を示す説明図である。
【００６２】
次いで、営業店端末１１０の印鑑照合部１２８は、印鑑照合がＯＫであるかＮＧであるかを判別する（ステップＳ１３６）。
【００６３】
ステップＳ１３６の判別の結果、印鑑照合がＯＫであるときは（ステップＳ１３６でＯＫ）、本処理を終了する。
【００６４】
ステップＳ１３６の判別の結果、印鑑照合がＮＧであるときは（ステップＳ１３６でＮＧ）、ステップＳ１３０の処理に戻る。
【００６５】
ステップＳ１３０の判別の結果、印鑑照合未済の印影候補がないときは（ステップＳ１３０で無し）、営業店端末１１０は、印影候補を取得することができなかったものと判断して、例えばオペレータに手動で印影候補領域の設定を行わせる（ステップＳ１３８）。このとき、オペレータは帳票イメージから印影位置を目視確認して、マウス操作などにより手動で印影候補領域を設定する。
【００６６】
次いで、営業店端末１１０の印影切出部１２０は、帳票イメージからオペレータにより設定された印影候補領域を切り出して（ステップＳ１４０）、ステップＳ１３４の処理に進む。そして、ステップＳ１３４の処理では、ステップＳ１１０にて取得された印鑑イメージと、ステップＳ１４０にて切り出されたイメージとを用いて、印鑑照合を実施する。当該印鑑照合がＮＧである場合は、金融機関のルールに従って取引を中止するなどの処理を行う。
【００６７】
図３の第１の印鑑照合処理によれば、押印欄の外に印鑑が押印された帳票に対して、オペレータの操作なしに印鑑照合を行うことができる。また、押印欄に近い印影から順に全ての印影に対して印鑑照合を行うことができるため、顧客がどの印鑑が正しいのか分からずに複数の印鑑を帳票に押したような場合においても、正しく印鑑照合を行うことができる。通常、押印領域以外に印影が複数ある、すなわち帳票に複数の印鑑が押印されている場合、押印領域により近い印影が正規の印影である可能性が高いため、印鑑照合に用いる印影は押印領域により近いものが好ましい。
【００６８】
以上により、図３の第１の印鑑照合処理によれば、帳票の押印領域以外の領域に印鑑が押印されている場合や、帳票に複数の印影がある場合などにおいて、効率的に印鑑照合を行うことができる。
【００６９】
なお、図３の第１の印鑑照合処理では、印影候補領域が押印領域内にないときに、当該印影候補の印影候補領域と押印領域の距離を算出していたが、印影候補領域が押印領域内にあるか否かの判別を行わずに、全ての印影候補の印影候補領域と押印領域の距離を算出して、上述したように印影候補の優先度を設定してもよい。この場合、算出した距離がある値（たとえば、押印領域の中心座標から押印領域の矩形の頂点までの距離あるいは押印領域の矩形の辺までの距離等）よりも小さいときは、印影候補領域が押印領域内にあると判別するようにしてもよい。
【００７０】
次に、図１における印鑑照合システム１０が実行する第２の印鑑照合処理について説明する。図４は、図１における印鑑照合システム１０が実行する第２の印鑑照合処理のフローチャートである。本第２の印鑑照合処理は、上述した第１の印鑑照合処理におけるステップＳ１３０の処理の後からステップＳ１３４の処理の前までの処理を変更したものである。変更した処理以外の処理は、上述した第１の印鑑照合処理と同様であるため、その説明を省略する。
【００７１】
図４において、ステップＳ１３０の判別の結果、印鑑照合未済の印影候補があるときは（ステップＳ１３０で有り）、営業店端末１１０の印影候補管理部１２２は、優先度が「１」の印影候補があるか否かを判別する（ステップＳ１４２）。
【００７２】
ステップＳ１４２の判別の結果、優先度が「１」の印影候補があるときは（ステップＳ１４２で「１」）、営業店端末１１０の印影候補管理部１２２は、優先度が「１」の当該印影候補を選択して（ステップＳ１４４）、上述したステップＳ１３４の処理に進む。優先度としての「１」は、本発明の特定の優先度の一例である。
【００７３】
ステップＳ１４２の判別の結果、優先度が「１」の印影候補がないときは（ステップＳ１４２で「他」）、上述したステップＳ１３８の処理に進んで、例えばオペレータに手動で印影候補領域の設定を行わせてもよく、また、金融機関のルールに従って取引を中止するなどの処理を行って、本処理を終了してもよい。
【００７４】
図４の第２の印鑑照合処理によれば、優先度が「１」の印影候補のみを正規の印影と判断し、顧客が誤って押印してしまった押印欄以外の印影については印鑑照合を実施しないため、安全に金融取引を行うことができる。
【００７５】
以上により、図４の第２の印鑑照合処理によれば、帳票の押印領域以外の領域に印鑑が押印されている場合や、帳票に複数の印影がある場合などにおいて、効率的かつ安全に印鑑照合を行うことができる。
【００７６】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７７】
この場合、記憶媒体から読み出されたプログラムコード自体が前述した実施の形態の機能を実現することになり、そのプログラムコード及び該プログラムコードを記憶した記憶媒体は本発明を構成することになる。
【００７８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７９】
また、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００８０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した実施の形態の機能が実現される場合も含まれる。
【００８１】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８２】
１０    印鑑照合システム
１００    営業店
１１０    営業店端末
１１２    イメージ読取部
１１４    帳票識別部
１１６    帳票情報データベース（ＤＢ）
１１８    印影探索部
１２０    印影切出部
１２２    印影候補管理部
１２４    印影候補位置判断部
１２６    印鑑データ取得部
１２８    印鑑照合部
１３０    スキャナ
２００    センタ
２１０    印鑑サーバ
３００    通信網
【図１】
2011197787.tif 000008
【図２】
2011197787.tif 000009
【図３】
2011197787.tif 000010
【図４】
2011197787.tif 000011
【図５】
2011197787.tif 000012
【図６】
2011197787.tif 000013
【図７】
2011197787.tif 000014
【図８】
2011197787.tif 000015
【図９】
2011197787.tif 000016
【図１０】
2011197787.tif 000017